(57)【要約】【目的】  直流電源からリニア・レギュレータを使用して電子回路上の複数の素子に安定した電圧を供給でき、しかもその消費電力を低減する。【構成】  複数の素子２０２〜２０４を２つのグループに分け、それぞれのグループには少なくとも１つ以上の素子が存在しており、そのうちの一方のグループを上段グループとして、素子２０２を直流電源２０５とリニア・レギュレータ２０１の出力端子との間に介挿し、他方のグループを下段グループとして、各素子２０３，２０４をリニア・レギュレータ２０１の出力端子とＧＮＤとの間に介挿する。【選択図】        図１
2005209039.tif 000002
【特許請求の範囲】
【請求項１】
直流電源とリニア・レギュレータを使用して、電子回路上の複数の素子に安定した電圧を供給する電源回路において、
前記複数の素子を２つのグループに分け、それぞれのグループには少なくとも１つ以上の素子が存在しており、
そのうちの一方のグループを上段グループとして、各素子を前記直流電源と前記リニア・レギュレータの出力端子との間に介挿し、
他方のグループを下段グループとして、各素子を前記リニア・レギュレータの出力端子とＧＮＤとの間に介挿したことを特徴とする電源回路。
【請求項２】
請求項１記載の電源回路において、
前記上段グループに属する素子の消費電流の合計値と前記下段グループに属する素子の消費電流の合計値とが等しくなるように、前記複数の素子を前記上段グループと前記下段グループとに分けることを特徴とする電源回路。
【請求項３】
請求項１又は２記載の電源回路において、
前記上段グループに属する素子と前記下段グループに属する素子との間にレベルシフト回路を介挿し、前記上段グループに属する素子と前記下段グループに属する素子の一方の素子から出力された信号を他方の素子に入力する際に、該信号の電圧レベルを前記レベルシフト回路によって変化させることを特徴とする電源回路。
【請求項４】
請求項１又は２記載の電源回路において、
前記上段グループに属する素子と前記下段グループに属する素子との間にＡＣカップルを介挿し、前記上段グループに属する素子と前記下段グループに属する素子の一方の素子から出力された信号を他方の素子に入力する際に、該信号の電圧レベルを前記ＡＣカップルによって変化させることを特徴とする電源回路。
【請求項５】
請求項１又は２記載の電源回路において、
前記上段グループに属する素子と前記下段グループに属する素子は異なる駆動電圧で稼動する素子であることを特徴とする電源回路。
【請求項６】
請求項１記載の電源回路において、
前記上段グループに属する素子の消費電流の合計値よりも前記下段グループに属する素子の消費電流の合計値の方が大きくなるように、前記複数の素子を前記上段グループと前記下段グループとに分けることを特徴とする電源回路。
【請求項７】
請求項１乃至６のいずれか一項に記載の電源回路を備えた光ディスク装置。
【発明の詳細な説明】
【技術分野】
【０００１】
この発明は、リニア・レギュレータを用いた電源回路と、それを備えた光ディスク装置（光ディスクドライブ）に関する
【背景技術】
【０００２】
電子回路上の各素子に安定した電圧を供給するために、リニア・レギュレータと呼ばれる電圧調整回路（ＩＣ）が広く使用されている。
図７は、リニア・レギュレータ１０１と各素子１０２，１０３，・・・の一般的な接続関係を示している。
直流電源１０４から供給される電圧をリニア・レギュレータ１０１の入力端子に入力すると、その入力電圧（Ｖｉｎ）を降下して得られる所定の電圧が出力端子から安定して出力される。この出力電圧（Ｖｏｕｔ）によって、リニア・レギュレータ１０１の出力端子とＧＮＤとの間に並列に接続された各素子１０２，１０３が駆動される。
【発明の開示】
【発明が解決しようとする課題】
【０００３】
しかしながら、リニアレギュレータは、外付け回路が小さく、出力がきれいであるが、電力損失がある。
すなわち、上述したリニアレギュレータを用いた電源回路では、かなりの電力を消費してしまう。しかもこの電力消費は、リニア・レギュレータリニアの発熱という無駄な形で現れる損失である。リニア・レギュレータにおけるこの電力消費は、入出力の電圧差に出力電流を掛け算した形で表されるので、図７に示した接続関係の電源回路の場合に、各素子１０２，１０３，・・・に流れる消費電流をＩ１，Ｉ２，・・・とすると、電力消費Ｐは、Ｐ＝（Ｖｉｎ−Ｖｏｕｔ）×Ｉｏｕｔ＝（Ｖｉｎ−Ｖｏｕｔ）×（Ｉ１＋Ｉ２＋・・・）となる。つまり、素子数に応じて（素子数が増えた分だけ）、また各素子における消費電流に応じて（その消費電流が多くなった分だけ）、電力消費が大きくなるということが分かる。
【０００４】
また、同じく安定した電圧を供給するための電源回路でスイッチング・レギュレータと呼ばれるものがあるが、これは電力損失は少ないものの出力にノイズが入る。つまり、スイッチングの際のノイズ発生量が多く、微小なアナログ信号を扱うような回路では不向きである。また、多くの外付け回路（出力電圧を決定する回路やノイズを減らす回路等）を設ける必要があり、電源回路が複雑で大きな回路となってしまう。
さらに、従来は1つのレギュレータには、駆動に必要な電圧が同じ素子しか繋げなかった。
【０００５】
この発明は、上記の問題点に鑑みてなされたものであり、直流電源からリニア・レギュレータを使用して電子回路上の複数の素子に安定した電圧を供給でき、しかもその消費電力を低減することを目的とする。
【課題を解決するための手段】
【０００６】
この発明は、直流電源とリニア・レギュレータを使用して、電子回路上の複数の素子に安定した電圧を供給する電源回路において、上記の目的を達成するため、次のようにしたことを特徴とする。
請求項１の発明による電源回路は、上記複数の素子を２つのグループに分け、それぞれのグループには少なくとも１つ以上の素子が存在しており、そのうちの一方のグループを上段グループとして、各素子を上記直流電源と上記リニア・レギュレータの出力端子との間に介挿（接続）し、他方のグループを下段グループとして、各素子を上記リニア・レギュレータの出力端子とＧＮＤとの間に介挿したものである。
【０００７】
請求項２の発明による電源回路は、請求項１の電源回路において、上記上段グループに属する素子の消費電流の合計値と上記下段グループに属する素子の消費電流の合計値とが等しくなるように、上記複数の素子を上記上段グループと上記下段グループとに分けたものである。
請求項３の発明による電源回路は、請求項１又は２の電源回路において、上記上段グループに属する素子と上記下段グループに属する素子の一方の素子との間にレベルシフト回路を介挿し、上記上段グループに属する素子と上記下段グループに属する素子の一方の素子から出力された信号を他方の素子に入力する際に、該信号の電圧レベルを上記レベルシフト回路によって変化させるようにしたものである。
【０００８】
請求項４の発明による電源回路は、請求項１又は２の電源回路において、上記上段グループに属する素子と上記下段グループに属する素子の一方の素子との間にＡＣカップルを介挿し、上記上段グループに属する素子と上記下段グループに属する素子の一方の素子から出力された信号を他方の素子に入力する際に、該信号の電圧レベルを上記ＡＣカップルによって変化させるようにしたものである。
【０００９】
請求項６の発明による電源回路は、請求項１の電源回路において、上記上段グループに属する素子の消費電流の合計値よりも上記下段グループに属する素子の消費電流の合計値の方が大きくなるように、上記複数の素子を上記上段グループと上記下段グループとに分けたものである。
請求項７の発明による光ディスク装置は、請求項１〜６のいずれかの電源回路を備えたものである。
【発明の効果】
【００１０】
この発明の電源回路および光ディスク装置によれば、直流電源からリニア・レギュレータを使用して電子回路上の複数の素子に電圧を供給する際に、リニア・レギュレータから素子に流される電流が少なくなる（リニア・レギュレータで無駄に消費される電流が少なくなる）ので、直流電源からリニア・レギュレータを使用して電子回路上の複数の素子に安定した電圧を供給でき、しかもその消費電力を低減することができる。
【発明を実施するための最良の形態】
【００１１】
以下、この発明を実施するための最良の形態を図面に基づいて具体的に説明する。
まず、この発明を実施する電源回路を備えた光ディスク装置の構成例について、図２を参照して説明する。
図２は、この発明を実施する光ディスク装置の構成例を示すブロック図である。
この光ディスク装置２０は、スピンドルモータ２２，光ピックアップ装置２３，レーザコントロール回路２４，エンコーダ２５，モータドライバ２７，再生信号処理回路２８，サーボコントローラ３３，バッファＲＡＭ３４，バッファマネージャ３７，インタフェース３８，ＲＯＭ３９，ＣＰＵ４０，ＲＡＭ４１，フラッシュメモリ４２，およびリニア・レギュレータ２０１を含む電源回路を備えている。
【００１２】
この光ディスク装置２０は、この実施例では、ＰＣ（パーソナルコンピュータ）本体３００に内蔵されているが、ＷＳ（ワークステーション）本体等の他の情報処理装置本体に内蔵してもよいし、ＰＣ本体やＷＳ本体等の各種情報処理装置本体に外付けすることもできる。
なお、図２における矢印は、代表的な信号や情報の流れを示すものであり、各ブロックの接続関係の全てを表わすものではない。
光ディスク１５は、追記型若しくは書き換え型のＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，ＤＶＤ−ＲＡＭ等のコンピュータ読み取り可能な記録媒体である。
【００１３】
スピンドルモータ２２は、情報記録媒体としての光ディスク１５を回転駆動するためのものである。
光ピックアップ装置２３は、光源としての半導体レーザ、その半導体レーザから出射される光束を光ディスク１５の記録面に導くとともに、その記録面で反射された戻り光束を所定の受光位置まで導く光学系、その受光位置に配置され戻り光束を受光する受光器、および図示しない駆動系（フォーカシングアクチュエータ，トラッキングアクチュエータ，およびシークモータ）等によって構成されている。そして、受光器からは、その受光量に応じた電流（電流信号）が再生信号処理回路２８に出力される。
【００１４】
再生信号処理回路２８は、図示しないＩ／Ｖアンプ，サーボ信号検出回路，ウォブル信号検出回路，ＲＦ信号検出回路，ＡＴＩＰデコーダ，ＣＤデコーダ，ＣＤ−ＲＯＭデコーダ，およびＤ／Ａコンバータ等によって構成されている。Ｉ／Ｖアンプは、光ピックアップ装置２３の出力信号である電流信号を電圧信号に変換し、更に増幅する。サーボ信号検出回路は、Ｉ／Ｖアンプからの電圧信号に基づいてサーボ信号（フォーカスエラー信号やトラックエラー信号）を検出し、サーボコントローラ３３へ出力する。ウォブル信号検出回路は、Ｉ／Ｖアンプからの電圧信号に基づいてウォブル信号を検出する。ＡＴＩＰデコーダは、ウォブル信号からＡＴＩＰ情報および同期信号などを抽出する。ここで抽出されたＡＴＩＰ情報はＣＰＵ４０へ出力され、同期信号はエンコーダ２５へ出力される。ＲＦ信号検出回路は、Ｉ／Ｖアンプからの電圧信号に基づいて再生情報を含むＲＦ信号を検出する。ＣＤデコーダは、ＲＦ信号に対して誤り訂正処理等を行う。ＣＤ−ＲＯＭデコーダは、ＣＤデコーダからの信号に対して更に誤り訂正処理等を行った後、バッファマネージャ３７を介してバッファＲＡＭ３４に格納する。なお、音楽データの場合にはＣＤデコーダからの信号はＤ／Ａコンバータを介して外部のオーディオ機器などに出力される。
【００１５】
サーボコントローラ３３は、フォーカスエラー信号に基づいて光ピックアップ装置２３のフォーカシングアクチュエータを制御する制御信号を生成し、トラックエラー信号に基づいて光ピックアップ装置２３のトラッキングアクチュエータを制御する制御信号を生成する。両制御信号は、サーボコントローラ３３からモータドライバ２７へ出力される。
モータドライバ２７は、サーボコントローラ３３からの制御信号に基づいて、光ピックアップ装置２３のフォーカシングアクチュエータおよびトラッキングアクチュエータを駆動する。また、ＣＰＵ４０の指示に基づいて、光ディスク１５の線速度が一定となるようにスピンドルモータ２２を制御する。さらに、ＣＰＵ４０の指示に基づいて、光ピックアップ装置２３のシークモータを駆動し、光ピックアップ装置２３のスレッジ方向（光ディスク１５の半径方向）の位置を制御する。
【００１６】
エンコーダ２５は、ＣＰＵ４０の指示に基づいて、バッファＲＡＭ３４に蓄積されているデータをバッファマネージャ３７を介して取り出し、エラー訂正コードの付加などを行ない、光ディスク１５への記録データを作成する。そして、ＣＰＵ４０からの指示に基づいて、再生信号処理回路２８からの同期信号に同期して、記録データをレーザコントロール回路２４へ出力する。
レーザコントロール回路２４は、エンコーダ２５からの記録データに基づいて、光ピックアップ装置２３の半導体レーザの出力を制御する。
インタフェース３８は、ＰＣ本体３００との双方向の通信インタフェースであり、ＡＴＡＰＩおよびＳＣＳＩ等の標準インタフェースに準拠している。
【００１７】
ＲＯＭ３９には、ＣＰＵ４０にて解読可能なコードで記述された情報記録制御プログラムを含むプログラムが格納されている。
フラッシュメモリ４２は、不揮発性のメモリであり、ＣＰＵ４０からの書き込みおよび読み出しが可能であるとともに、電源が遮断されても（直流電源２０５からの電圧供給が停止しても）記録された内容は保持される。
ＣＰＵ４０は、ＲＯＭ３９に格納されている上記プログラムに従って上記各部の動作を制御するとともに、制御に必要なデータ等を一時的にＲＡＭ４１に保存する。なお、光ディスク装置２０に電源が投入される（直流電源２０５からの電圧供給が開始される）と、ＲＯＭ３９に格納されている上記プログラムが、ＣＰＵ４０のメインメモリ（図示省略）にロードされる。
【００１８】
ここで、この実施例では、ＰＣ本体３００内の直流電源２０５から＋１２Ｖと＋５Ｖの２種類の異なる電圧が光ディスク装置２０に供給される。＋１２Ｖは、モータドライバ２７にのみ供給される。＋５Ｖは、スピンドルモータ２２などのメカ部品とアナログ信号を扱う回路（ＩＣ）の一部に供給されるが、デジタル信号を扱う回路には供給されない。＋５Ｖは、リニア・レギュレータ２０１により＋２．５Ｖ（＋３．３Ｖや＋１．８Ｖ等の他の電圧でもよい）に降圧された後、アナログ信号を扱う回路の一部とデジタル信号を扱う回路に供給される。
なお、図２に実線で囲んで示すレーザコントロール回路２４および再生信号処理回路２８は、アナログ信号を扱う回路であり、ひとつのＬＳＩによって構成されている。エンコーダ２５，サーボコントローラ３３，ＣＰＵ４０，およびＲＡＭ４１は、デジタル信号を扱う回路であり、ひとつのＬＳＩによって構成されている。
【００１９】
次に、図２のリニア・レギュレータ２０１を含む電源回路について説明する。
この電源回路は、直流電源２０５とリニア・レギュレータ２０１を使用して、電子回路上の複数の素子に安定した電圧を供給するものであり、複数の素子（上述したＬＳＩ等）を２つのグループに分け、それぞれのグループには少なくとも１つ以上の素子が存在しており、そのうちの一方のグループを上段グループとして、各素子を直流電源２０５とリニア・レギュレータ２０１の出力端子との間に介挿（接続）し、他方のグループを下段グループとして、各素子をリニア・レギュレータ２０１の出力端子とＧＮＤとの間に介挿したものである。
【００２０】
この電源回路では、上段グループが消費する電流は、上段グループに属する各素子の消費電流を合計したものである。下段グループについても同様である。
こうすると、リニア・レギュレータ２０１が供給する電流は、上段グループの合計消費電流と下段グループの合計消費電流の差分となり、従来通り、全ての素子をリニア・レギュレータ２０１の出力端子とＧＮＤとの間に並列に介挿（接続）する場合に比べて少なくなるので、消費電力を少なくすることが可能になる。
ここで、上記合計消費電流の差分が小さいほど、リニア・レギュレータ２０１が供給する電流を少なくすることができるので、素子のグループ分けの際にはこの点に配慮する。つまり、上段グループに属する素子の消費電流の合計値と上記下段グループに属する素子の消費電流の合計値とが等しくなるように、素子を上段グループと下段グループとに分ける。そうすれば、消費電力を少なくする効果をより高めることができる。
【００２１】
ただし、この構成では、上段グループに属する素子の基準電圧レベルはリニア・レギュレータ２０１の出力電圧レベル、下段グループに属する素子の基準電圧レベルはＧＮＤレベルとなり、各グループ間で基準電圧レベルに差が生じるため、上段グループに属する素子と下段グループに属する素子は異なる駆動電圧で稼動することになる。そのことから、1つのリニア・レギュレータ２０１には、駆動に必要な電圧が異なる複数の素子を繋げることが分かる。
【００２２】
また、各グループ間で基準電圧レベルに差が生じるため、いずれか一方のグループに属する素子から出力された信号を他方のグループに属する素子に入力して利用する場合には、各グループに属する素子間にレベルシフト回路もしくはＡＣカップル（ＡＣカップリング）などの回路を介挿（接続）し、上記一方のグループに属する素子から出力された信号を他方の素子に入力する際に、その信号の電圧レベルを上記回路を使用して変化させる（上記基準電圧レベルの差に応じてシフトさせる）必要がある。
また、上段グループに属する素子の消費電流の合計値よりも下段グループに属する素子の消費電流の合計値の方が大きくなるように、複数の素子を上段グループと下段グループとに分ける必要もある。そうすれば、電流の逆流を防止することができる。
【００２３】
図１は、図２のリニア・レギュレータ２０１を含む電源回路の構成例を示す回路図である。図１では、説明を簡単にするため、電子回路上の素子の個数を３個にしているが、その個数が変わっても同様にして説明できることは明白である。
図１に示す電源回路は、上段グループに属する素子２０２（複数個の素子でもよい）のＶＤＤ端子（デジタル電源端子）を＋５Ｖの直流電源２０５に、ＶＳＳ端子（ＧＮＤ端子）をリニア・レギュレータ２０１の出力端子にそれぞれ接続し、下段グループに属する各素子２０３，２０４（１個は３個以上の素子でもよい）のＶＤＤ端子をリニア・レギュレータ２０１の出力端子に、ＶＳＳ端子を回路内の電位の基準であるＧＮＤにそれぞれ接続している。
【００２４】
リニア・レギュレータ２０１は、Ｖｉｎ端子から入力された電圧である＋５Ｖを＋２．５Ｖに降下させ、Ｖｏｕｔ端子から安定して供給するものである。
素子２０２の駆動電圧は＋２．５（実際には＋２．５〜＋５Ｖ）、消費電流Ｉ１は２００ｍＡである。
素子２０３の駆動電圧は＋２．５（実際には０〜＋２．５Ｖ）、消費電流Ｉ２は１００ｍＡである。
素子２０４の駆動電圧は＋２．５（実際には０〜＋２．５Ｖ）、消費電流Ｉ３は２００ｍＡである。
【００２５】
上述した構成の電源回路において、リニア・レギュレータ２０１から供給される電流Ｉｏｕｔは、Ｉｏｕｔ＝（Ｉ２＋Ｉ３）−Ｉ１＝１００ｍＡとなる。
よって、リニア・レギュレータ２０１の消費電力Ｐは、Ｐ＝（Ｖｉｎ−Ｖｏｕｔ）×Ｉｏｕｔ＝２．５Ｖ×０．１Ａ＝０．２５Ｗである。
もし、上述した各素子２０２〜２０４を図７に示した従来の電源回路のように接続した場合には、Ｉｏｕｔ＝Ｉ１＋Ｉ２＋Ｉ３＝５００ｍＡとなり、Ｐ＝２．５Ｖ×０．５Ａ＝１．２５Ｗであるので、図１に示したこの発明による電源回路では、消費電力を１Ｗ少なくすることができる。
【００２６】
このように、図１の電源回路を利用することにより、直流電源２０５からリニア・レギュレータ２０１を使用して電子回路上の複数の素子に安定した電圧を供給でき、しかもその消費電力を低減することができる。
また、上段グループに属する素子２０２の消費電流よりも下段グループに属する素子２０３，２０４の消費電流の合計値の方が大きいため、電流が逆流することがない。
なお、電源回路に接続する素子数等によっては、上段グループに属する素子の消費電流の合計値と下段グループに属する素子の消費電流の合計値とが等しくなるように（もしくはその差が最小になるように、各素子を上段グループと下段グループとに分けることもできる。そうすれば、消費電力をより効率良く低減することができる。
【００２７】
また、図１に示した電源回路では、実際には、上段グループに属する素子２０２は２．５Ｖ〜５Ｖの間で、下段グループに属する素子２０３，２０４は０〜２．５Ｖの間でそれぞれ稼動（駆動）する。
よって、上段グループに属する素子２０２と下段グループに属する素子２０３，２０４の駆動電圧は、同じでも異なっていてもどちらでもよい。
また、各グループ間で基準電圧レベルに差が生じるため、上段グループに属する素子２０２から出力された信号を下段グループに属する素子２０４に入力して利用する場合には、各グループに属する素子２０２，２０４間にレベルシフト回路もしくはＡＣカップルを介挿するが、それらの回路を含む電源回路については、以下で具体的に説明する。
【００２８】
図３は図２のリニア・レギュレータ２０１を含む電源回路の他の構成例を示す回路図であり、図１と同じ部分には同一符号を付して説明を省略する。
図４は、図３のレベルシフト回路２０６の構成例とその入出力電圧の波形の一例を示す図である。
図３に示す電源回路は、図１に示した電源回路にレベルシフト回路２０６を追加しただけである。具体的には、素子２０２と２０４との間に、例えば図４に示す構成のレベルシフト回路２０６を介挿する。この場合、上段グループから出力される信号（Ｖｉｎ）がレベルシフト回路２０６に入力されるため、その出力（Ｖｏｕｔ）を下段グループで使用することになる。
【００２９】
ここで、上段グループの素子２０２は、＋２．５Ｖ〜＋５Ｖで駆動されており、基準電圧がＶｒｅｆ１＝３．７５Ｖである。下段グループの素子２０３，２０４は、０Ｖ〜＋５Ｖで駆動されており、基準電圧がＶｒｅｆ２＝１．２５Ｖである。
図３に示す電源回路では、素子２０２と２０４との間に図４のレベルシフト回路２０６が介挿されることにより、入力される信号（Ｖｉｎ）の交流成分および直流成分はともに保存され、その波形がそのまま３．７５Ｖ中心から１．２５Ｖ中心にシフトされる。つまり、上段グループに属する素子２０２の基準電圧レベル（３．７５Ｖ）と下段グループに属する素子２０４の基準電圧レベル（１．２５Ｖ）との差に応じて、上段グループに属する素子２０２から下段グループに属する素子２０４へ入力される信号の電圧レベルがシフト（変化）される。
このようなレベルシフト回路２０６を利用すれば、どのような信号に対してでも有効である。直流成分が重要である場合や、そもそも上段グループに属する素子２０２から直流の信号しか出力されない場合には、レベルシフト回路２０６を利用する必要がある。
【００３０】
図５は図２のリニア・レギュレータ２０１を含む電源回路の更に他の構成例を示す回路図であり、図１と同じ部分には同一符号を付して説明を省略する。
図６は、図５のＡＣカップル２０７の構成例とその入出力電圧の波形の一例を示す図である。
図５に示す電源回路は、図１に示した電源回路にコンデンサ等からなるＡＣカップル２０７を追加しただけである。具体的には、素子２０２と２０４との間に、例えば図６に示す構成のＡＣカップル２０７を介挿する。この場合、上段グループから出力される信号（Ｖｉｎ）がＡＣカップル２０７に入力されるため、その出力（Ｖｏｕｔ）を下段グループで使用することになる。
【００３１】
この電源回路では、素子２０２と２０３との間に図６のＡＣカップル２０７が介挿されることにより、入力される信号（Ｖｉｎ）の交流成分は保存されが、直流成分は通さない。出力波形は１．２５Ｖ中心に寄る。
このようなＡＣカップル２０７は、上述したレベルシフト回路に比べて簡単で安価であるが、素子２０２から出力される信号の直流電圧レベルが素子２０４の動作にとって重要でない場合のみ利用できる。
【産業上の利用可能性】
【００３２】
この発明は、リニア・レギュレータを用いた電源回路と、それを備えた光ディスク装置に適用できる。
【図面の簡単な説明】
【００３３】
【図１】図２のリニア・レギュレータ２０１を含む電源回路の構成例を示す回路図である。
【図２】この発明を実施する光ディスク装置の構成例を示すブロック図である。
【図３】図３は図２のリニア・レギュレータ２０１を含む電源回路の他の構成例を示す回路図である。
【００３４】
【図４】図３のレベルシフト回路２０６の構成例とその入出力電圧の波形の一例を示す図である。
【図５】図２のリニア・レギュレータ２０１を含む電源回路の更に他の構成例を示す回路図である。
【図６】図５のＡＣカップル２０７の構成例とその入出力電圧の波形の一例を示す図である。
【図７】リニア・レギュレータと各素子の一般的な接続関係を示す図である。
【符号の説明】
【００３５】
２０：光ディスク装置    ２０１：リニア・レギュレータ    ２０２〜２０４：素子    ２０５：直流電源    ２０６：レベルシフト回路    ２０７：ＡＣカップル
【図１】
2005209039.tif 000003
【図２】
2005209039.tif 000004
【図３】
2005209039.tif 000005
【図４】
2005209039.tif 000006
【図５】
2005209039.tif 000007
【図６】
2005209039.tif 000008
【図７】
2005209039.tif 000009